(57)【特許請求の範囲】
【請求項１】
エアバッグを膨張展開させる略円柱状のインフレータと、
インフレータに嵌装する略円環状のリング部と、リング部の外方向に取り付けられたボルト部とを有する少なくとも一つのリング部材と、
底板と一対の長側板とを有し、開口からインフレータを収納すると共に、底板にボルト部が貫通する貫通孔を設けたケーシングホルダーと、
ボルト部と螺合し、インフレータを固定部位に取付固定するナットとを備え、
一対の長側板の対向する位置にリング部と嵌合する切欠孔を形成すると共に、長側板間の幅寸法がリング部の外径より小さく形成され、リング部が弾性変形して仮固定可能に形成され、前記ボルト部によりエアバッグ装置が固定されることでリング部が塑性変形することを特徴とするエアバッグ装置。
【請求項２】
前記切欠孔より底板側の長側板間の幅寸法をインフレータの外径より小さく形成したことを特徴とする請求項１記載のエアバッグ装置。
【請求項３】
前記長側板間の幅寸法をインフレータの外径より小さく形成し、前記長側板も弾性変形することを特徴とする請求項１又は２記載のエアバッグ装置。
【発明の詳細な説明】
【０００１】
【発明の属する技術分野】
本発明は、エアバッグ装置に係り、特に、エアバッグ内に膨張ガスを供給する略円柱状のインフレータが取付固定されるエアバッグ装置に関するものである。
【０００２】
【従来の技術】
従来、エアバッグを膨張展開させる略円柱状のインフレータをリング部材を用いて固定させるエアバッグ装置として、特表平４−５０４０９１公報に記載のものが知られている。
このものは、リング部とこのリング部から延設したボルト部とを有するリング部材と、インフレータを収納するケーシングホルダーとを備え、リング部をインフレータに嵌装して、ボルト部をケーシングホルダーの孔に差し込み、これをエアバッグ内に挿入し、ナットを介して固定部位に取り付ける構造のものである。
【０００３】
また、この種のエアバッグ装置として、特開平９−１２３８６６公報に記載のものも知られている。
このものは、リング部がその内周面に弾性体を配設させて塑性変形可能としてあり、リング部をインフレータに嵌装した後、リング部を塑性変形させてインフレータを保持せしめ、これをエアバッグ内に挿入し、リング部材のボルト部をナットで締め付けて固定部位に取り付ける構造のものである。
【０００４】
【発明が解決しようとする課題】
前記特表平４−５０４０９１公報に記載のものによると、リング部材が嵌装されたインフレータをケーシングホルダーに収納し、固定部位にナットにより固定されるまでの間、インフレータは安定していないので、リング部材が外れたり位置ずれを生じるおそれがあった。
これを防ぐために、リング部材に対してカバーを設けたり溝付きインサートを取り付けているが、部品数が増え、作業効率が悪いという問題を有している。
【０００５】
他方、前記特開平９−１２３８６６公報に記載のものでは、エアバッグの取付孔の位置にボルト部を合わせるようにリング部材をインフレータに嵌装させる必要があり、リング部材のインフレータへの嵌装取付時の位置調整が難しいという問題を有している。
また、リング部の内周面に弾性体を配設させる作業も困難である。
さらに、リング部を塑性変形させてインフレータに固定した後、さらにナットを用いて固定部位に固定するので、取付固定作業を２度行わなければならず、作業効率が悪いという問題をも有している。
【０００６】
本発明は、従来の技術の有するこのような問題点に鑑みてなされたものであり、その目的とするところは、インフレータへの嵌装位置を容易に決めることができ、インフレータの取付固定作業を容易に行うことができるエアバッグ装置を提供しようとするものである。
【０００７】
【課題を解決するための手段】
上記目的を達成するために、本発明のうちで請求項１記載の発明は、エアバッグを膨張展開させる略円柱状のインフレータと、
インフレータに嵌装する略円環状のリング部と、リング部の外方向に取り付けられたボルト部とを有する少なくとも一つのリング部材と、
底板と一対の長側板とを有し、開口からインフレータを収納すると共に、底板にボルト部が貫通する貫通孔を設けたケーシングホルダーと、
ボルト部と螺合し、インフレータを固定部位に取付固定するナットとを備え、
一対の長側板の対向する位置にリング部と嵌合する切欠孔を形成すると共に、長側板間の幅寸法がリング部の外径より小さく形成され、リング部が弾性変形して仮固定可能に形成され、前記ボルト部によりエアバッグ装置が固定されることでリング部が塑性変形することを特徴としている。
【０００８】
請求項２記載の発明は、請求項１記載の発明に加えて、前記切欠孔より底板側の長側板間の幅寸法をインフレータの外径より小さく形成したことを特徴としている。
請求項３記載の発明は、請求項１又は２記載の発明に加えて、前記長側板間の幅寸法をインフレータの外径より小さく形成し、前記長側板も弾性変形することを特徴としている。
【０００９】
本発明に使用するインフレータは、シリンダタイプの略円柱状のものであり、折り畳まれたエアバッグに膨張展開用のガスを供給する。
リング部材のリング部は、インフレータの外周面部に嵌装するものであり、略円環状を呈している。ここで略円環状とは、インフレータに嵌装するために何らかの円環形状を有していればよく、例えば馬蹄形を呈していてもよい。
リング部は、インフレータの外径より若干大きく形成してある。そして、リング部材は、複数個使用すると、インフレータを安定して固定することができる。
ケーシングホルダーは、リング部材を嵌装したインフレータを収納するもので、横長の箱型形状を呈している。そして、ケーシングホルダーの頂部は、リング部を嵌装したインフレータを挿入するために開口としてある。
ケーシングホルダーに貫通孔を複数個設ける場合には、貫通孔間の距離は、エアバッグに設けられたインフレータ取付用孔間の距離と等しくなるようにする。
切欠孔は、リング部の最大径部が一部嵌入するように形成してある。
【００１０】
【発明の実施の形態】
以下、本発明の実施の形態について、図面を参照して説明する。
図１は本発明に使用するリング部材及びケーシングホルダーの斜視図、図２及び図３はケーシングホルダーの断面図、図４はインフレータの仮組み付けの状態を示す断面図、図５はインフレータの固定途中の状態を示す断面図、図６はインフレータの固定状態を示す断面図、図７はインフレータの固定状態を示す側面図である。
【００１１】
本発明に使用するインフレータ１０は、シリンダタイプの略円柱状のものであり、折り畳まれたエアバッグに膨張展開用のガスを供給する。
【００１２】
２０は、インフレータ１０に嵌装するリング部材である。
リング部材２０は、略円環状を呈するリング部２１と、リング部２１に外方向に取り付けられたボルト部２２とを有する。
ここで略円環状とは、インフレータに嵌装するために何らかの円環形状を有していればよく、例えば馬蹄形を呈していてもよい。
【００１３】
リング部２１は、インフレータ１０の外周面部に嵌装するものであり、インフレータ１０の外径より若干大きく形成してある。リング部２１は、弾性変形可能に形成すると、後述するケーシングホルダー３０へ嵌入するのに都合がよい。
このリング部材２０は、複数個使用すると、インフレータ１０を安定して固定することができる。
２３は、ボルト部２２と螺合し、インフレータ１０を固定部位（図示略）に取付固定するナットである。
【００１４】
３０は、リング部材２０を嵌装したインフレータ１０を収納する、横長の箱型形状を呈するケーシングホルダーである。
ケーシングホルダー３０の頂部は、リング部２１を嵌装したインフレータ１０を挿入するために開口３１としてある。
【００１５】
ケーシングホルダー３０の底板３２には、前記リング部材２０のボルト部２２が貫通する貫通孔３３を設けてある。
この貫通孔３３を複数個設ける場合には、貫通孔３３，３３間の距離は、エアバッグ（図示せず）に設けられたインフレータ取付用孔間の距離と等しくなるようにする。
【００１６】
ケーシングホルダー３０の側部は、相対向する一対の長側板３４と短側板３５とで構成されている。
長側板３４は、図２に示すように、底板３２と断面コ字状を呈するように形成してもよい。また、図３に示すように、段部３６を設け、長側板３４，３４間の幅が頂部側でやや広がるように形成してもよい。
【００１７】
図３に示す実施形態においては、頂部側の長側板３４，３４間の幅寸法は、前記リング部２１の円形部の外径より小さく形成されている。
そして、インフレータ１０を挿入できるように、長側板３４は外側に弾性変形可能に設けられている。そのため、長側板３４と短側板３５とは密接した状態であり、長側板３４は容易に弾性変形することができる。また、図１に示すように、長側板３４と短側板３５との間に切断部３７を設けておくと、インフレータ１０への配線を容易に通すことができる。
【００１８】
また、図３に示す実施形態においては、頂部側の長側板３４，３４間の幅寸法を、インフレータ１０の外径より小さく形成してもよい。
このようにすると、インフレータ１０をケーシングホルダー３０に収納したとき、インフレータ１０自体が直接ケーシングホルダー３０の長側板３４，３４に挟持されるので、リング部材２０だけよりもより強固に固定される。
【００１９】
各側板３４には、前記リング部材２０のリング部２１と嵌合する切欠孔３８を設けてある。
この切欠孔３８は、リング部２１の最大径部が一部嵌入するように形成してある。
【００２０】
また、切欠孔３８より底板３２側の長側板３４，３４間の幅寸法を、インフレータ１０の外径より小さく形成してもよい。
このようにすると、インフレータ１０の固定時、ナット２３の締め付けによりリング部２１がケーシングホルダー３０の底板３２方向に片寄り、切欠孔３８より底板３２側の長側板３４，３４間の幅寸法がインフレータ１０の外径より小さいので、リング部２１によりケーシングホルダー３０の底板３２側に引き寄せられているインフレータ１０は、リング部２１を介して底板３２側の長側板３４，３４に当接して固定される。また、長側板３４，３４がリング部２１を塑性変形させる場合は、ナット２３の締め付け後は、図６に示すように、リング部２１はインフレータ１０に隙間なく嵌装してより強固に挟持することができる。
【００２１】
次に、インフレータ１０の取付固定方法について説明する。
まず、インフレータ１０の外周面部にリング部材２０のリング部２１を嵌装する。そして、リング部材２０のボルト部２２をケーシングホルダー３０の貫通孔３３に通しながら、インフレータ１０をケーシングホルダー３０に収納して仮組み付けをする。
【００２２】
このとき、ケーシングホルダー３０の長側板３４，３４間の幅寸法が、リング部２１の外径より小さく形成されているが、リング部２１を嵌装したインフレータ１０を押し込むと、長側板３４，３４は外側に弾性変形し、リング部２１が切欠孔３８に嵌合して収納固定される。また、リング部２１を弾性変形可能に形成すると、インフレータ１０はリング部２１により強固に固定される。
そして、ケーシングホルダー３０の長側板３４，３４間の幅寸法が、リング部２１の外径より小さく形成してあるので、長側板３４，３４がリング部材２０を介してインフレータ１０の外れる方向への移動を抑止する。また、インフレータ１０に嵌装したリング部２１及び長側板３４，３４の少なくとも一方を弾性変形させてインフレータ１０を収納するので、これらの復元力でインフレータ１０を挟持することができる。
【００２３】
次いで、インフレータ１０が仮組み付けされたケーシングホルダー３０をエアバッグ内に挿入し、ケーシングホルダー３０より突出したボルト部２２をエアバッグに設けられたインフレータ取付用孔に貫通させ、固定部位でボルト部２２にナット２３を螺合することにより、インフレータ１０がエアバッグに一度に取付固定される。
【００２４】
【発明の効果】
以上説明したように、本発明のうち請求項１記載の発明によると、リング部材のボルト部をケーシングホルダーに設けた貫通孔に貫通させ、リング部を切欠孔に合わすだけで、インフレータにおけるリング部材の嵌装位置を容易に決めることができ、後はインフレータを押し込むだけでケーシングホルダーに収納することができ、リング部材を嵌装したインフレータをケーシングホルダーに容易に仮組み付けを行うことができる。しかも、インフレータのエアバッグへの取付固定作業は、ボルト部にナットを締め付ける一回の作業だけで済ませることができ、作業効率が極めてよい。
また、リング部材を複数個用いることで、インフレータの仮組み付け状態及び固定状態をより安定させることができる。
さらに、仮組み付け状態でインフレータの外れる方向に力が掛かっても、ケーシングホルダーの長側板間が常にリング部の移動を抑止しているので、インフレータは外れにくく、持ち運びなどが容易である。
そして、本発明によれば、部品数も少なくすることができる。
【００２５】
請求項２記載の発明は、切欠孔より底板側の長側板間の幅寸法をインフレータの外径より小さく形成してあるので、ナット締め付け後、底板側に引き寄せられるインフレータが長側板に当接した状態で固定され、簡単に固定でき作業効率がよい。リング部材を塑性変形させた場合、リング部材はインフレータに隙間なく嵌装し、より強固にインフレータを保持でき、安定性がある。
請求項３記載の発明は、長側板間の幅寸法をインフレータの外径より小さく形成してあるので、インフレータ自体がケーシングホルダーの側板に挟持され、インフレータのケーシングホルダーへの仮組み付け状態がより安定する。
【図面の簡単な説明】
【図１】本発明に使用するリング部材及びケーシングホルダーの斜視図である。
【図２】ケーシングホルダーの断面図である。
【図３】ケーシングホルダーの他の実施形態の断面図である。
【図４】インフレータの仮組み付けの状態を示す断面図である。
【図５】インフレータの固定途中の状態を示す断面図である。
【図６】インフレータの固定状態を示す断面図である。
【図７】インフレータの固定状態を示す側面図である。
【符号の説明】
１０    インフレータ
２０    リング部材
２１    リング部
２２    ボルト部
２３    ナット
３０    ケーシングホルダー
３１    開口
３２    底板
３３    貫通孔
３４    長側板
３８    切欠孔
【図１】
0003962202.tif 000002
【図２】
0003962202.tif 000003
【図３】
0003962202.tif 000004
【図４】
0003962202.tif 000005
【図５】
0003962202.tif 000006
【図６】
0003962202.tif 000007
【図７】
0003962202.tif 000008